(57)【特許請求の範囲】
【請求項１】
伝動ケース（３）のフランジ下部（３ａ）に形成した両耳部（３ｂ），（３ｂ）に筒状ナット（５）を挿通させるための間座付き挿通孔（４）を設け、
前記フランジ下部（３ａ）の両側に、前記両耳部（３ｂ），（３ｂ）の間座付き挿通孔（４）に合致する筒状ナット（５）へのボルト挿通孔（２ａ）を有するとともに、傾斜爪軸（６）を回転自在に軸承した傾斜ブラケット（１）に一体的に設けたフラット板状の取付板（２）を前記挿通孔（４），（４）を介してケースの両耳部（３ｂ），（３ｂ）に挟着し、前記筒状ナット（５）を前記両間座付き挿通孔（４）へ貫挿するとともに取付板（２）のボルト挿通孔（２ａ）外側から該筒状ナット（５）に締付けボルト（８），（８）を螺締して、前記フラット板状の取付板（２）を装着したことを特徴とするロータリにおける外付フルカット装置。
【請求項２】
伝動ケース（３）のフランジ下部（３ａ）に形成した両耳部（３ｂ），（３ｂ）に筒状ナット（５）を挿通させるための挿通孔（４）を設け、
前記フランジ下部（３ａ）の両側に、前記両耳部（３ｂ），（３ｂ）の挿通孔（４）に合致する筒状ナット（５）へのボルト挿通孔（２ａ）を有するとともに、傾斜爪軸（６）を回転自在に軸承した傾斜ブラケット（１）に一体的に設けたフラット板状の取付板（２）を前記挿通孔（４），（４）を介してケースの両耳部（３ｂ），（３ｂ）に挟着し、前記筒状ナット（５）を前記両挿通孔（４）へ貫挿するとともに該筒状ナット（５）の左右外周に独立の間座（７），（７）を介して、取付板（２）のボルト挿通孔（２ａ）外側から前記筒状ナット（５）に締付けボルト（８），（８）を螺締して、前記フラット板状の取付板（２）を装着したことを特徴とするロータリにおける外付フルカット装置。
【発明の詳細な説明】
【０００１】
【発明の属する技術分野】
本発明は、ロータリにおいて、伝動ケース３の直下部位の残耕をゼロとするフルカット装置を、伝動ケース３に対し外付方式で装着する手段に関する。
【０００２】
【従来の技術】
ロータリにおいて、伝動ケースの直下部位の残耕を防止するフルカット装置を得るためには、伝動ケースの下部両側面線対称に、傾斜爪軸を軸承させた傾斜ブラケットを取付板を介して装着しているが、これには伝動ケースに関連させて共締め方式と別締め方式とが提案されている。
【０００３】
即ち、共締め方式は、実用新案登録第２５２３０５５号の第３図、第６図に示されるように、伝動ケースのフランジ部を利用して、締付けボルトを取り外したそのフランジ部で傾斜ブラケットの取付板のフランジ部合わせ部を挟着して前記伝動ケースのフランジ部の締付けボルトで共通にボルト締め（共締め）する。
しかし、この方式では、締付けボルトの装脱の手間がかかり、又その度々の作業は伝動ケースからの油漏れの発生という重大な欠陥を起因する。
【０００４】
他方、別締め方式は、実用新案登録第２５２３０５５号の第４図に示されるように、伝動ケースの締付けボルトを取り外すことなく、左右から合わせフランジ部を有する傾斜ブラケットの取付板で伝動ケースの両外側面を挟持してその合わせフランジ部を別個の締付けボルトで螺締する。
しかし、この方式では、装着後の走行、作業による振動増幅等の外力に対して充分強固な装着状態が得られない難点がある。
【０００５】
【発明が解決しようとする課題】
本発明は従来のかかる実情に鑑みてなされたもので、ロータリフランジ部の締付けボルトを取外すことなく、外付けでしかも振動増幅等の外力に対し安定強固な装着を可能とした外付フルカット装置を提供する。
【０００６】
【課題を解決するための手段】
上記目的を達成するため、本発明は、伝動ケース３のフランジ下部３ａに形成した両耳部３ｂ，３ｂに筒状ナット５を挿通させるための間座付き挿通孔４を設ける。
そして、前記フランジ下部３ａの両側に、前記両耳部３ｂ，３ｂの間座付き挿通孔４に合致する筒状ナット５へのボルト挿通孔２ａを有するとともに、傾斜爪軸６を回転自在に軸承した傾斜ブラケット１に一体的に設けたフラット板状の取付板２を前記挿通孔４，４を介してケースの両耳部３ｂ，３ｂに挟着し、前記筒状ナット５を前記間座付き挿通筒４，４へ貫挿するとともに取付板２のボルト挿通孔２ａ外側から該筒状ナット５に締付けボルト８，８を螺締して、前記フラット板状の取付板２を装着してロータリにおける外付フルカット装置を構成する。
【０００７】
また、伝動ケース３のフランジ下部３ａに形成した両耳部３ｂ，３ｂに筒状ナット５を挿通させるための挿通孔４を設ける。
そして、前記フランジ下部３ａの両側に、前記両耳部３ｂ，３ｂの挿通孔４に合致する筒状ナット５へのボルト挿通孔２ａを有するとともに、傾斜爪軸６を回転自在に軸承した傾斜ブラケット１に一体的に設けたフラット板状の取付板２を前記挿通孔４，４を介して両耳部３ｂ，３ｂに挟着し、前記筒状ナット５を前記挿通孔４，４へ貫挿するとともに該筒状ナット５の左右外周に独立の間座７，７を介して取付板２のボルト挿通孔２ａ外側から前記筒状ナット５に締付けボルト８，８を螺締して、前記フラット板状の取付板２を装着してロータリにおける外付フルカット装置を構成する。
【０００８】
【発明の実施の形態】
図１及び図２において、１が内側に伝動ケース３へのフラット板状の取付板２を有し、外側に傾斜爪軸６を軸承させた傾斜ブラケットで、その取付板２に前記伝動ケース３のフランジ下部３ａに突設した両耳部３ｂ，３ｂに配設した四つの筒状ナット５を挿通させるための間座付き４に合致する筒状ナット５へのボルト挿通孔２ａを配設してある。
【０００９】
そして、前記傾斜ブラケット１のフラット板状の取付板２を、防泥板９を介して伝動ケース３のフランジ下部３ａの両側に当て込むに際し、前記筒状ナット５を前記間座付き挿通孔４、４へ貫挿するとともに取付板２のボルト挿通孔２ａ外側から該筒状ナット５に締付けボルト８、８を螺締して、前記フラット板状の取付板２を装着したロータリにおける外付フルカット装置である。
【００１０】
【発明の作用並びに効果】
本発明は以上のようで、これまでの共締め方式と別締め方式のいずれにもよらないで、残耕をゼロとするフルカット装置を伝動ケースに対し外付方式で施す。
より詳しくは、傾斜ブラケット１のフラット板状の取付板２を、伝動ケース３のフランジ下部３ａの両側に当て込むに際し、間座付き挿通孔４，４又は独立の間座７，７の間座の長さで幅決めされた筒状ナット５を介して前記取付板２のボルト挿通孔２ａ外側から筒状ナット５へ締付けボルト８，８を螺締することにより装着する。
【００１１】
この方式によれば、共締め方式におけるような伝動ケースのフランジ締付ボルトを利用しての装脱の手間が不要となり、伝動ケースからの油漏れの発生という重大な欠陥を回避することができる。
又簡易な外付けでありながら、伝動ケースへの単純な当て込み別ボルト締めでなく、フラット板状の取付板を、間座によって幅決めされた筒状ナットの両側からの締付けボルトの螺締即ち締付応力相対によって確実に固定されるから、後の走行、作業による振動増幅等の外力に対して安定強固な装着状態が得られるものである。
【図面の簡単な説明】
【図１】本発明に係る伝動ケースと傾斜ブラケットの側面図
【図２】本発明に係る伝動ケースに傾斜ブラケットを装着した状態の側面図
【図３】本発明装置を実施したロータリの縦断面図
【符号の説明】
１      傾斜ブラケット
２      フラット板状の取付板
２ａ    ボルト挿通孔
３      伝動ケース
３ａ    フランジ下部
３ｂ    両耳部
４      間座付き挿通孔
５      筒状ナット
６      傾斜爪軸
７      独立の間座
８      締付けボルト
９      防泥板
【図１】
0003631670.tif 000002
【図２】
0003631670.tif 000003
【図３】
0003631670.tif 000004